(57)【要約】回転可能な光ディスク（５）の情報面（３）に情報を記録する及び／又は該情報面（３）から情報を再生するための光ディスク装置（１）。前記装置は、支持アセンブリ（７）と、光ディスク（５）を回転させるためのスピンドル軸（１９）を持つスピンドル（１７）を持つ支持アセンブリ（７）と関連付けられたスピンドルモータ（１５）と、スピンドル（１７）に装着された光ディスク（５）の情報面（３）を走査するために支持アセンブリ（７）に関連付けられた光レンズユニット（２１）とを有する。前記装置はまた、フォーカスレンズアセンブリ（２３）と、前記光ディスクの情報面（３）に光ビーム（３３）をフォーカスさせるためにフォーカス軸（３１）に沿ってフォーカスレンズ（２９）を駆動するために、スイングアームアセンブリ（３５）の自由端（３７）近くにおいて備えられた可動の磁気フォーカス手段（４５）を有する、スイング軸（３９）のまわりに回転可能なスイングアームアセンブリ（３５）と、可動のフォーカス手段（４５）と中間のエアギャップ（４８）を通して磁気的に協働する固定の磁気フォーカス手段（４６）とを有する。固定の及び可動の磁気フォーカス手段（４６、４５）は、力ベクトル成分（Ｐ）がフォーカスレンズの外辺（２９）によって境界を画されるフォーカスレンズエリア（２７）と交差するように配置され協働する。
2005521984.tif 000002
【特許請求の範囲】
【請求項１】
情報を記録及び／又は再生するための光ディスク装置であって、
支持アセンブリと、
スピンドルにより支持された光ディスクをスピンドル軸のまわりに回転させるための前記スピンドル軸を持つ前記スピンドルを持つ、前記支持アセンブリと関連付けられたスピンドルモータと、
前記光ディスクの情報面を走査するための、前記支持アセンブリと関連付けられた光レンズユニットと、
フォーカスレンズ外辺により境界を画されたフォーカスレンズエリアを持つ可動のフォーカスレンズ、及び前記フォーカスレンズエリアと交差するフォーカス軸を持つフォーカスレンズアセンブリであって、前記情報面に光ビームをフォーカスするように構成されたフォーカスレンズアセンブリと、
自由端において前記フォーカスレンズアセンブリを支持する概ね細長いスイングアーム構造を有するスイングアームアセンブリと、
を有し、前記スイングアームアセンブリは、前記自由端から離隔され前記スイングアーム構造に略垂直かつ前記スピンドル軸に概ね平行に向くスイング軸のまわりに回転可能であり、前記スイングアームアセンブリはまた、前記光ディスクの情報面に前記光ビームをフォーカスするため前記フォーカス軸に沿って前記フォーカスレンズを駆動するために、前記スイングアームアセンブリの前記自由端の近くに備えられた可動の磁気フォーカス手段を有し、
前記光ディスク装置はまた、
前記フォーカス軸に沿って前記フォーカスレンズアセンブリを駆動するため前記フォーカス軸に平行なベクトル成分を持つ磁力ベクトルを生成するために、中間のエアギャップを通して前記可動のフォーカス手段と磁気的に協働するための、前記支持アセンブリに関連付けられた固定の磁気フォーカス手段を有し、
前記固定の及び可動の磁気フォーカス手段は、前記力ベクトル成分が前記フォーカスレンズエリアと交差するように配置され協働する光ディスク装置。
【請求項２】
前記力ベクトル成分は、前記フォーカスレンズのフォーカス軸と概ね一致する、請求項１に記載の光ディスク装置。
【請求項３】
前記フォーカスレンズアセンブリは、前記アームアセンブリの前記自由端の近くにおいて、前記フォーカスレンズに接続された垂直に反射させる光学素子を有し、前記光学素子は、前記光ディスクが前記スピンドルによって支持されている場合に前記光ディスクの前記情報面の反対側を向く前記フォーカスレンズの側面に反射面を持ち、前記光学素子は、概ね前記スイング軸と前記フォーカス軸との間の方向を進むレーザビームの反射を引き起こし、前記レーザビームが概ね前記フォーカス軸に沿って前記フォーカスレンズを通って進むようにするものであり、
前記可動の磁気フォーカス手段は、前記可動のフォーカスレンズの反対側を向く前記反射面の側面における位置において前記反射素子と接続される、請求項１又は２に記載の光ディスク装置。
【請求項４】
前記スイングアームアセンブリは、前記スイング軸に垂直に延在する離隔された仮想的な平行平面によって境界を画され、前記光ディスクが前記スピンドルによって支持されている場合に、第１の平面は前記光ディスクにより近く、第２の平面は前記光ディスクからより離れており、
前記反射素子と前記第２の面との間に中間の空間が備えられるように、前記反射素子の少なくとも一部は前記第２の面から内側に離隔され、
前記固定の磁気フォーカス手段が、前記反射素子と前記第２の平面との間の前記中間の空間へと延在し、かくして前記中間の空間の少なくとも一部を占有する、請求項３に記載の光ディスク装置。
【請求項５】
前記可動の及び固定の磁気フォーカス手段は、前記反射素子の前記反射面と概ね平行なエアギャップを通して協働する、請求項２乃至４のいずれか一項に記載の光ディスク装置。
【請求項６】
前記固定の磁気フォーカス手段は弓形の永久磁石回路として構成され、前記可動の磁気フォーカス手段は電磁コイル手段として構成される、請求項１乃至５のいずれか一項に記載の光ディスク装置。
【請求項７】
前記フォーカスレンズアセンブリの前記反射面は、前記スイングアームアセンブリの前記スイング軸に対して傾斜した面に配置され、
前記可動の電磁コイル手段は、概ね前記反射面に平行な傾斜した面に配置され、
前記固定の磁石回路手段は、前記可動の電磁コイル手段に向く傾斜した面を有し、これにより前記可動の電磁コイル手段と前記固定の磁石回路手段との間の前記エアギャップが、前記フォーカスレンズアセンブリの前記傾斜した反射面に概ね平行な平面に配置される、請求項６に記載の光ディスク装置。
【請求項８】
前記スイングアーム構造は、前記スイング軸と前記フォーカスレンズアセンブリとの間に延在する２つの離隔された細長く概ね平行な平らな弾力性アーム素子を有し、前記アーム素子は、前記フォーカスレンズアセンブリによって前記スイングアームアセンブリの前記自由端において又は前記自由端の近くにおいて相互に接続される、請求項１に記載の光ディスク装置。
【発明の詳細な説明】
【技術分野】
【０００１】
本発明は、回転可能な光ディスクの情報面に情報を記録する及び／又は情報面から情報を再生する光ディスク装置に関する。
【背景技術】
【０００２】
以上に示した種類の光ディスク装置は、米国特許６，０５２，３５７より知られている。本文献は、回転可能な光ディスクの情報面に情報を記録する及び／又は情報面から情報を再生する光ディスク装置であって、支持アセンブリと、前記支持アセンブリと関連付けられスピンドル軸を持つスピンドルを持つスピンドルモータであって前記スピンドルに装着された前記光ディスクを前記スピンドル軸のまわりに回転させるためのスピンドルモータとを有する装置を記載している。光レンズユニットが、前記スピンドルに装着された前記光ディスクの情報面を走査するために、前記支持アセンブリと関連付けられている。前記光レンズユニットは、フォーカスレンズの外辺によって境界を画されたフォーカスレンズエリアと、前記フォーカスレンズエリアと交差するフォーカス軸とを持つ、可動のフォーカスレンズを持つフォーカスレンズアセンブリを有する。前記フォーカスレンズアセンブリは、前記光ディスクの情報面に光ビームをフォーカスさせるように構成される。概ね細長いスイングアーム構造を有するスイングアームアセンブリが備えられ、前記フォーカスレンズアセンブリは該スイングアームアセンブリの自由端に装着される。前記スイングアームアセンブリは、前記自由端から離隔され概ね前記スイングアーム構造に対し垂直かつ前記スピンドル軸及び前記フォーカス軸に対し平行に向くスイング軸のまわりに回転可能である。このため前記スイングアームアセンブリは、前記装着された光ディスクの情報面に概ね平行な平面を掃引し、これにより前記スイングアームアセンブリは前記フォーカスレンズアセンブリに、前記装着された光ディスクの情報面全体に渡って走査させる。前記スイングアームアセンブリはまた、前記光ディスク情報面に光ビームをフォーカスさせるため、前記フォーカスレンズを前記フォーカス軸に沿って駆動させるために前記スイングアームアセンブリと関連付けられた可動の磁気フォーカス手段を、前記スイングアームの前記自由端付近に有する。
【０００３】
前記光ビームを前記光ディスクの情報面にフォーカスさせるため、当該既知の光ディスク装置はまた、前記支持アセンブリと関連付けられた固定の磁気フォーカス手段を有する。前記固定の磁気フォーカス手段は、前記フォーカスレンズアセンブリのフォーカス軸に平行なベクトル成分を持つ磁力ベクトルを生成するために、可動のフォーカス手段と中間のエアギャップ（air gap）を通して磁気的に協調する。それにより、前記フォーカスレンズアセンブリを電磁力により前記フォーカス軸に沿って駆動する。
【０００４】
この先行技術の光ディスク装置においては、前記可動の磁気フォーカス手段は磁気フォーカスコイルを有する。該磁気フォーカスコイルは、前記スイングアーム構造のスイング軸から見て最も離れた部分における前記フォーカスレンズアセンブリから離隔された位置において、前記スイングアーム構造の自由端におけるフォーカスレンズのフォーカス軸に概ね平行な平面に配置される。前記フォーカスレンズアセンブリのフォーカス軸に従う方向における前記フォーカスレンズアセンブリのフォーカス移動は、前記スイング軸と前記フォーカスレンズアセンブリとの間に延在する、即ち前記スイングアームアセンブリの自由端において又は該自由端の近くにおいて相互に接続された、２つの離隔された細長く概ね平行な平らな弾力性アーム素子を、前記スイングアーム構造が有するという事実により可能とされる。前記固定磁気フォーカス手段は、前記磁気コイル手段と概ね平行でありそれ故前記フォーカスレンズのフォーカス軸に概ね平行であるエアギャップを介して上述の磁気コイル手段と協働する。
【発明の開示】
【発明が解決しようとする課題】
【０００５】
説明された先行技術構成の前記可動の磁気フォーカス手段のフォーカスコイルにおけるエアギャップを通して作用するいずれの磁力ベクトルも、前記フォーカスレンズに、前記フォーカス軸に沿った力のみならず垂直な力をも及ぼす。そのうえ、これらの力は前記フォーカスレンズアセンブリに作用し、それ故前記フォーカスレンズのフォーカス軸から幾分かの距離においてスイングアームアセンブリに作用し、前記スイングアームアセンブリの前記弾力性アーム素子に及ぼされる力のモーメントに帰着する。従って、前記フォーカスレンズのフォーカス合わせの間に、偏心的な力及びモーメントが動的に生成される。このことは、前記スイングアームアセンブリにおける動的な反発力及びモーメントを生成し、過度の振動及び歪みを引き起こし、また前記スイングアームのスピンドルの付加的な荷重をも引き起こし得る。望ましくない寄生共振が前記フォーカス軸に沿った方向において生じ、前記光レンズユニットの自動フォーカス制御システムを混乱させ得る。また前記フォーカスの方向に垂直な走査方向においてクロストークが生じ、自動走査制御システムを混乱させ得る。
【課題を解決するための手段】
【０００６】
本発明の目的は、前記可動の磁気フォーカス手段に及ぼされるいずれの過度な偏心的な動的フォーカス力を軽減することにより、改善された動的挙動を示す光ディスク装置を提供することにある。本目的は、支持アセンブリと、
スピンドルにより支持された光ディスクをスピンドル軸のまわりに回転させるための前記スピンドル軸を持つ前記スピンドルを持つ、前記支持アセンブリと関連付けられたスピンドルモータと、
前記光ディスクの情報面を走査するための、前記支持アセンブリと関連付けられた光レンズユニットと、
フォーカスレンズ外辺により境界を画されたフォーカスレンズエリアを持つ可動のフォーカスレンズ、及び前記フォーカスレンズエリアと交差するフォーカス軸を持つフォーカスレンズアセンブリであって、前記情報面に光ビームをフォーカスするように構成されたフォーカスレンズアセンブリと、
自由端において前記フォーカスレンズアセンブリを支持する概ね細長いスイングアーム構造を有するスイングアームアセンブリと、
を有し、前記スイングアームアセンブリは、前記自由端から離隔され前記スイングアーム構造に略垂直かつ前記スピンドル軸に概ね平行に向くスイング軸のまわりに回転可能であり、前記スイングアームアセンブリはまた、前記光ディスクの情報面に前記光ビームをフォーカスするため前記フォーカス軸に沿って前記フォーカスレンズを駆動するために、前記スイングアームアセンブリの前記自由端の近くに備えられた可動の磁気フォーカス手段を有し、また、
前記フォーカス軸に沿って前記フォーカスレンズアセンブリを駆動するため前記フォーカス軸に平行なベクトル成分を持つ磁力ベクトルを生成するために、中間のエアギャップを通して前記可動のフォーカス手段と磁気的に協働するための、前記支持アセンブリに関連付けられた固定の磁気フォーカス手段を有し、前記固定の及び可動の磁気フォーカス手段は、前記力ベクトル成分が前記フォーカスレンズエリアと交差するように配置され協働するという特徴を持つ、本発明の光ディスク装置により達成される。この特徴のため、力ベクトルが前記フォーカス軸の近くに位置することとなり、従って先行技術構成の上述の問題を軽減する。
【０００７】
好ましくは、前記力ベクトル成分は、前記フォーカスレンズのフォーカス軸と概ね一致する実施例が利用される。かような実施例においては特に、偏心的な力は前記フォーカスレンズアセンブリに及ぼされない。
【０００８】
本発明が有利に適用されるような種類の光ディスク装置においては、レーザ源、並びに情報ディスクにデータを送信するために及び／又は情報ディスクからデータを受信するために必要な関連する光学的及び電子的な手段のような支持アセンブリと関連する光レンズユニットの多くは、前記スイングアームアセンブリのスイング軸の近くに配置され、該スイングアームアセンブリの慣性を減少させる。レーザビームは、前記フォーカスレンズアセンブリのフォーカス軸と垂直に交差する、前記フォーカスレンズアセンブリと前記レーザ源との間の光路の一部に沿って進む。レーザビームが前記フォーカス軸と垂直に交差するような種類の本発明の有利な実施例においては、前記フォーカスレンズアセンブリは、前記アームアセンブリの前記自由端の近くにおいて、前記フォーカスレンズに接続された垂直に反射させる光学素子を有し、前記光学素子は、装着された前記光ディスクの前記情報面の反対側を向く前記フォーカスレンズの側面に反射面を持ち、前記光学素子は、概ね前記スイング軸と前記フォーカス軸との間の方向を進むレーザビームの反射を引き起こし、前記レーザビームが概ね前記フォーカス軸に沿って前記フォーカスレンズを通って進むようにするものであり、
前記可動の磁気フォーカス手段は、前記可動のフォーカスレンズの反対側を向く前記反射面の側面における位置において前記反射素子と接続される。前記磁気フォーカス手段は従って、前記フォーカスレンズのフォーカス軸に配置されることができる。
【０００９】
前述の実施例は、本発明の更なる実施例と有利に組み合わせられ得る。本更なる実施例においては、前記スイングアームアセンブリは、前記スイング軸に垂直に延在する離隔された仮想的な平行平面によって境界を画され、第１の平面は装着された前記光ディスクにより近く、第２の平面は前記光ディスクからより離れており、前記反射素子と前記第２の面との間に中間の空間が備えられるように、前記反射素子の少なくとも一部は前記第２の面から内側に離隔され、前記固定の磁気フォーカス手段が、前記反射素子と前記第２の平面との間の前記中間の空間へと延在し、かくして前記中間の空間の少なくとも一部を占有する。本実施例は、前記可動の及び固定の磁気フォーカス手段のための空間の要求を最小化することに寄与する。とりわけデータ保存用の光ディスク装置の全体の大きさを削減することは、より小さな情報技術及び通信装置への組み込みのための利用の領域を増大させるために、非常に望ましい。この点において興味深いものは、前記可動の及び固定の磁気フォーカス手段が前記反射素子の前記反射面と概ね平行なエアギャップを通して協働する、更なる実施例である。
【００１０】
前記光レンズユニットの慣性及び前記光ディスク装置の全体の大きさを最小化するために、後者の実施例が更なる実施例と組み合わせられ得る。本更なる実施例においては、前記フォーカスレンズアセンブリの前記反射面は、前記スイングアームアセンブリの前記スイング軸に対して傾斜した面に配置され、前記可動の電磁コイル手段は、概ね前記反射面に平行な傾斜した面に配置され、前記固定の磁石回路手段は、前記可動の電磁コイル手段に向く傾斜した面を有し、これにより前記可動の電磁コイル手段と前記固定の磁石回路手段との間の前記エアギャップが、前記フォーカスレンズアセンブリの前記傾斜した反射面に概ね平行な平面に配置される。
【００１１】
前記スイングアームアセンブリの慣性を減少させるため、及び前記フォーカスレンズアセンブリ用の弾力性の誘導手段を提供するため、本発明の更なる実施例においては、前記スイングアーム構造は、前記スイング軸と前記フォーカスレンズアセンブリとの間に延在する２つの離隔された細長く概ね平行な平らな弾力性アーム素子を有し、前記アーム素子は、前記フォーカスレンズアセンブリによって前記スイングアームアセンブリの前記自由端において又は前記自由端の近くにおいて相互に接続される。
【００１２】
本発明による装置の実施例は、請求項２乃至８に詳細に開示される。
【発明を実施するための最良の形態】
【００１３】
本発明の目的及び特徴は、添付する図を参照しながら示される、好適な実施例の以下の限定するものではない説明を参照することにより、より明らかとなるであろう。
【００１４】
図は、模式的な性質のものであって、説明の目的のみを意図されたものである。図における詳細は、全体の縮尺と異なり得る任意の縮尺に描かれる。同一の構成要素は、図を通して同一の参照番号によって示される。基本的に先行技術により知られている原理によって構成され得る構成要素及びアセンブリは、詳細には議論されない。
【００１５】
図１及び２は、回転可能な光ディスク５の情報面３に情報を記録する及び／又は上方面３から情報を再生するための光ディスク装置の全体の構成を示す。前記装置は、側壁９及び１１並びに底壁１３を持つ支持アセンブリ７を有する。前記支持アセンブリは一部のみ示されており、任意の構成のものであっても良いが、多くの場合において一般に箱型である。スピンドルモータ１５は、支持アセンブリ７の底壁１３に備えられる。該モータは、光ディスク５をスピンドル軸１９のまわりに回転させるためのスピンドル軸１９を持つスピンドル１７を持つ。前記光ディスクは、前記スピンドルに装着され又は設置され、及び／又は前記スピンドルに締着させられても良い。
【００１６】
光レンズユニット２１は、スピンドル１７に装着された光ディスク５の底側の情報面３を走査するため、支持アセンブリ７の底面１３に備えられた高くされた部分２２に備えられる。光レンズユニット２１は、可動のフォーカスレンズ２５を持つ、一般に２３と参照される、フォーカスレンズアセンブリを有する。可動のフォーカスレンズ２５は、フォーカスレンズの外辺２９によって境界を画されたフォーカスレンズエリア２７と、前記フォーカスレンズエリアと交差するフォーカス軸３１とを持つ。フォーカスレンズアセンブリ２３は、光ディスク５の情報面３に光ビーム３３をフォーカスさせるように構成される。フォーカス軸３１は、スピンドル軸１９に略平行である。
【００１７】
自由端３７においてフォーカスレンズアセンブリ２３を支持する概ね細長いスイングアーム構造として構成されるスイングアームアセンブリ３５が備えられる。前記スイングアームアセンブリは、自由端３７から離隔され概ね前記スイングアーム構造に垂直に向きかつスピンドル軸１９及びフォーカス軸３１と概ね平行なスイング軸３９のまわりに回転可能である。これにより、スイングアームアセンブリ３５は装着された光ディスク５の情報面３に概ね平行な面を掃引し、これにより前記スイングアームアセンブリ３５はフォーカスレンズアセンブリ２３に、装着された光ディスク５の情報面３全体に渡って走査させる。図において示された実施例においては、スイングアームスピンドル４１は、高くされた部分２２上のスイングアームアセンブリに備えられる。前記スイングアームアセンブリは一般に、自由端３７とは離れて第２の自由端４３を持つ、２本腕構造を持つ。スピンドル４１は、自由端３７と４３との間に配置される。
【００１８】
スイングアームアセンブリ３５はまた、前記光ディスクの情報面３に光ビーム３３をフォーカスさせるため、フォーカス軸３１に沿ってフォーカスレンズ２５を電磁気的に駆動するために、自由端３７の近くに備えられた可動の磁気フォーカス手段４５を有する。本実施例においては、前記移動する磁気フォーカス手段は、それ自体知られた方法で、銅線のような導線の巻を持つ概ね環状のフォーカスコイル４５から成る。フォーカスコイル４５は、本分野において良く知られているように、概ね楕円形又は長方形の形状を有しても良く、図３における断面図に示されている。
【００１９】
光ディスク装置１はまた、可動のフォーカス手段４５と中間のエアギャップ４８を通して磁気的に協働するために、支持アセンブリ７と関連付けられた固定の磁気フォーカス手段４６を有する。これにより、フォーカス軸３１に平行なベクトル成分Fを持つ磁力ベクトルを生成し、かくしてフォーカスレンズアセンブリ２３をフォーカス軸３１に沿って駆動する。本実施例においては、前記固定の磁気フォーカス手段は、本分野において良く知られた方法で、垂直に磁化された永久磁石５７から成る。該永久磁石５７は、適切な磁気的に隔離された物質の低部の支持部に装着された、強磁性溶剤の濃縮されたそれぞれ上部及び下部のヨーク板５９及び６１によって境界を画される。
【００２０】
固定の及び可動の磁気フォーカス手段４５及び４６は、力ベクトル成分Ｐがフォーカスレンズの外辺２９によって境界を画されたフォーカスレンズエリア２７と交差するように配置され協働する。実際には、図に示された実施例においては、力ベクトル成分Ｐは概ねフォーカスレンズ２７のフォーカス軸３１と一致する。
【００２１】
光レンズアセンブリ２３は、前記アームアセンブリの自由端３７の近くにおいて、垂直に反射する光学素子４７を有する。該素子はフォーカスレンズ２７に接続され、本実施例においてはフォーカスレンズ２７と一体化している。該素子は、光学級透明合成樹脂物質でできており、一方の側に完全内部反射によって光ビーム３３を反射する反射面４９を持つ一体化した光学素子を形成する。この反射面４９は、装着された光ディスク５の情報面３とは反対側のフォーカスレンズ２５の一方の側に配置される。該反射面４９は、概ねスイング軸３９及びフォーカス軸３１の間の方向に進むレーザビーム３３の反射を引き起こし、それにより該レーザビームは概ねフォーカス軸３１に沿ってフォーカスレンズ２５を通って進む。可動の磁気フォーカス手段４５は、可動のフォーカスレンズ２５とは反対側の反射面４９の一方の側面における位置において、反射素子４７と接続される。
【００２２】
前記スイングアームアセンブリは、離隔された仮想的な平行な平面５１及び５３によって境界を画される（図３における部分において点線として象徴的に示される）。これらの面はスイング軸３９と垂直に延在し、第１の面５１は装着された光ディスクとより近く、第２の面５３は装着された光ディスク５からより離れている。
【００２３】
反射素子４７は第２の面５３から内側に離隔され、それにより中間の空間５５が反射素子４７と第２の面５３との間に備えられる。固定の磁気フォーカス手段４６は、反射素子４７と第２の面５３との間の当該中間の空間５５へ延在し、かくして中間の空間５５の一部を占有する。
【００２４】
可動の及び固定の磁気フォーカス手段４５及び４６は、反射素子４７の反射面４９と概ね平行なエアギャップ４８を通して協働する。実際には、反射面４９の内側の反射特性を低下させない適切な粘着性の物質を利用して、反射素子４７の外側の表面にフォーカスコイル４５が取り付けられる。好ましくは反射面４９は、真空蒸着によって蒸着された金属層のような適切な物質によって光学的に隔離される。
【００２５】
フォーカスレンズアセンブリ２３の反射面４９は、スイングアームアセンブリ３５のスイング軸３９に対して傾いた面に配置される。可動の電磁コイル手段４５は、反射面４９に平行な傾いた面に概ね配置される。固定の磁石回路手段は、可動の電磁コイル手段４５に向く傾いた面６５を有する。これにより、可動の電磁コイル手段４５と固定の磁石回路手段４６との間のエアギャップ４８は、フォーカスレンズアセンブリ２３の傾いた反射面４９に概ね平行な傾いた面に配置される。
【００２６】
前記スイングアーム構造は、２つの離隔された細長く概ね平行な平らな弾力性アーム素子６７及び６９を有する。これら素子は、スイング軸３９とフォーカスレンズアセンブリ２３との間に延在し、フォーカスレンズアセンブリ２３によって、スイングアームアセンブリ３５の自由端３７において又は該自由端３７の近くにおいて相互接続される。
【００２７】
フォーカスレンズアセンブリ２３から離れた前記スイングアーム構造の端において、先行技術よりそれ自体知られている一般的な種類の磁気システムが備えられ、それにより、スイングアームアセンブリ３５のスイング運動を中間のスイング軸４１のまわりに駆動する。当該磁気システムはそれ自体本発明の一部ではない。それ故図においては詳細に示されない。該システムは、前記スイングアーム構造の自由端４３に取り付けられた電子コイル７３と、支持アセンブリ７と関連付けられた協働する固定の永久磁石回路とを有する。当該回路は、点線によって単に象徴的に図において示され、一般的に参照番号７１を付される。
【００２８】
スイングアームアセンブリ３５の中央部７５は、中空で箱型であっても良い。また該中央部７５は、レーザビーム３３を生成する半導体レーザのような、フォーカスレンズアセンブリ２３及び光ディスク５の反射面３と協働し、更に、信号を処理等するために、前記レーザビームの特性及び方向を変更するための光学的及び電子的な手段と関連付けられた、光学系の構成要素を含んでも良い。
【００２９】
かくして、本明細書の執筆時点で発明者により予期される本発明を実行するための最良の方法に従って、光ディスク装置が説明された。本発明は特に以上に説明され示された事項によって限定されるものではないことは、当業者により認識されるであろう。ここで開示された本発明の概念から逸脱することなく、多くの変更が可能である。前記スイングアームアセンブリは２本腕タイプのものである必要はなく、該スイングアームアセンブリの一方の端に配置されたスイング軸を持つ１本腕タイプのものであっても良い。前記フォーカスレンズアセンブリは、スイングアーム構造の板バネに吊るされる必要はない。前記スイングアーム構造が剛性であっても良い代わりに、前記フォーカスレンズアセンブリは該剛性の構造に弾力的に装着されても良い。前記光ディスク装置の全体の高さの大きさは、アームスピンドル支持部の高くされた部分２２及び固定の磁気手段４６の支持部６３の高さを可能な限り減少させるための適切な方法により、減少させられることができる。最小限の全体の大きさが好ましい場合には、全体のスイングアームアセンブリは好ましくは、前記スイングアーム構造の仮想的な面５１及び５３の間に含まれても良い。前記一体型のフォーカスレンズアセンブリは、内部で完全に反射する面４９の代わりに外部反射面を持つ別個のミラーを含む複数の素子アセンブリによって置き換えられても良い。前記可動の磁気フォーカス手段は、反射面４９の平面以外の平面に異なる角度で配置されても良い。例えば、磁気コイルが移動することができる中央の垂直な湾曲したスロットを持つ固定の磁石回路と協働するフォーカスレンズアセンブリ２３の下に位置する垂直に配置された磁気コイルを利用することができる。
【図面の簡単な説明】
【００３０】
【図１】本発明による光ディスク装置の実施例の模式的な側面図である。
【図２】図１の光ディスク装置の一部の平面図である。
【図３】図１及び２の光ディスク装置のフォーカスレンズアセンブリ並びに関連する可動の及び固定の磁気フォーカス手段の詳細を示す、拡大された模式的な側面断面図である。
【図１】
2005521984.tif 000003
【図２】
2005521984.tif 000004
【図３】
2005521984.tif 000005
【国際調査報告】
2005521984.tif 000006
2005521984.tif 000007